Podtech/llm-jp-corpus-v4-ja_patent huggingface dataset:
(57)【要約】　　　（修正有）【課題】タバコ、香取線香、お香などから発生する煙を山頂から火山のように噴き上げるので卓上火山を楽しむ事ができる置物を提供する。【解決手段】受け皿の上に頂上部に穴を有する空洞の山のミニチュアを設ける。山のミニチュアの下部には複数個の穴を設ける。山のミニチュアの下部の穴又は受け皿を使って、山のミニチュアの内部に煙を発生させているお香、線香、たばこを挿入し、設置する。山のミニチュアの頂上部から、お香、線香、又はたばこの煙が火山の噴煙のごとく噴き上がる。以上の構成からなる置物。【選択図】　　図２
0003099049.tif 000002
【実用新案登録請求の範囲】
【請求項１】
受け皿の上にある中空の山の頂上と下部に穴がある。煙突効果により下部の穴より中空上部に僅かな気流が生じる。下部の穴から差し入れたタバコ、又は内部にセットしたお香、香取線香の煙が火山の噴煙のように煙を噴き上げる形状のもの。
【考案の詳細な説明】
【０００１】上昇気流は内部の形状、下部の吸い込み口の面積、上部の穴の径により大きく効果が変化する。
上部の穴に対して下部の穴の径、及び落差が適当でないと煙が内部にこもり頂上からだけでなく吸入香口から逆流するするので、その点の配慮をしてある。
【０００２】タバコの灰皿として使用する場合、吸い終わったタバコから無用な煙で部屋を汚さぬよう、受け皿に水を貯める窪み（湖）があり点火部を瞬時に消火できる。
【０００３】主用途がタバコの場合、山の内壁にカーボンを塗ってあるので消臭効果もある。
【００００４】香炉として使用する場合、既存の香炉に無い機能として嗅覚を楽しませるだけでなく、山頂よりほのぼのと立ち上る煙が様々な形を空間に描き視覚も楽しませてくれる。
【０００５】香取線香は７．５ｃｍのミニタイプもあるが一般的な渦巻き状の香取線香は外形が１１．５ｃｍである。一般タイプをそのまま収納できるサイズのものを別タイプとする。
従来より香取線香の容器として、子ブタさんを型どったものが定番として愛用されている。形だけでなく煙の形も楽しめる噴煙を上げる山の形もニューバージョンとしてアッピールしたい。
【補足説明】
タバコ、お香、香取線香など日用品として煙を出すものがある。趣向として山の置物外に煙突のある家、蒸気機関車も考えられるが効果的に上昇気流を発生させられるのは内部が円錐状の山が合理的である。形としての山は国内外様々考えられるが最もポピュラーなものと考えられる富士山を選んだ。
縄文富士（又は古富士、古代富士）とステッーカーを貼ったのは、現在休火山の富士山も１万年前は常時噴煙を上げていたためである。
【図面の簡単な説明】
【図１】山の側面図
【図２】山の断面図
【図３】受け皿の平面図
【図４】受け皿の断面図
【符号の説明】
▲１▼山の部分　　▲２▼タバコ差し入れ口及び吸気口
▲３▼山の空洞内壁に塗布したカーボン層　　▲４▼頂上の穴　排気口
▲５▼受け皿本体　　▲６▼タバコ消火用水貯め（湖）
【図１】
0003099049.tif 000003
【図２】
0003099049.tif 000004
【図３】
0003099049.tif 000005
【図４】
0003099049.tif 000006
【手続補正書】
【提出日】平成15年6月26日(2003.6.26)
【手続補正１】
【補正対象書類名】明細書
【補正対象項目名】実用新案登録請求の範囲
【補正方法】変更
【補正の内容】
【実用新案登録請求の範囲】
【請求項１】
「（１）受け皿の上に頂上部に穴を有する空洞の山のミニチュアを設ける。
（２）山のミニチュアの下部には複数個の穴を設ける。
（３）山のミニチュアの下部の穴又は受け皿を使って、山のミニチュアの内部に煙を発生させているお香、線香、たばこを挿入し設置する
（４）山のミニチュアの頂上部から、お香、線香、又はたばこの煙が火山の噴煙のごとく噴き上がる。
以上の構成からなる置物。」
(57)【要約】【課題】華美になりすぎることなく、装飾品を目にしたときに、豪華な印象と共にファッション性の質の高さを認識させることができる履物を、安価で、容易な製造工程で行うことができる。【解決手段】履物底の周縁部上面に装飾品を適宜の間隔にて埋設した帯状体を固着してなる構成とし、また、装飾品がビーズタイプの貴金属類又は貴金属類の模造品である構成とし、さらに、帯状体が合成樹脂材料にて柔軟性のある鎖状に形成している構成としている。【選択図】　　　　　図１
0003099088.tif 000002
【実用新案登録請求の範囲】
【請求項１】
履物底の周縁部上面に装飾品を適宜の間隔にて埋設した帯状体を固着してなることを特徴とする履物。
【請求項２】
上記装飾品がビーズタイプの貴金属類又は貴金属類の模造品である請求項１記載の履物。
【請求項３】
上記帯状体が合成樹脂材料にて柔軟性のある鎖状に形成している請求項１及び請求項２記載の履物。
【考案の詳細な説明】
【０００１】
【考案の属する技術分野】
本考案は、装飾を施した履物に関するものである。
【０００２】
【従来の技術】
従来より、履物や鞄等の小物類は、個性をアピールし、着用者のファッションセンスを高めるために重要な役割を果たしており、装飾を施された小物類を使用することにより多大な効果が得られている。履物にファッション性を持たせる場合、履物の形状を変えるほかにも、履物本体の着用部の表皮の素材を変えたり、紐、ボタン、ビーズ類などの装飾品を用いたりしていた。
【０００３】
しかし、装飾品を用いる場合、周囲にアピールするために履物の着用部表面の目立ちやすいところに装飾を施すことが多く、履物の装飾が目立ちすぎ、個性が強調されすぎると好まれない場合もあった。また、ボタン、ビーズ類を用いる場合には、履物の着用部表面に接着剤等で直に接着させることが多く、履物底や踵部の素材に合わせて接着方法を変化させたり、接着させる際の接着方法に技術を要したりするなど、製造工程が煩雑であった。
【０００４】
【考案が解決しようとする課題】
本考案は、製造方法が安易で、かつファッション性の高い装飾を施した履物を提供することを目的とする。
【０００５】
【課題を解決するための手段】
本考案者は、華美になりすぎないが、装飾品を目にしたときにファッション性の質の高さを認識させることのできる履物について検討を重ねた結果、通常はあまり目立たない履物底の周縁部上面に装飾品を施すことにより、本考案を完成させた。
【０００６】
本考案の履物は、履物底の周縁部上面に装飾品を適宜の間隔にて埋設した帯状体を固着してなる構成としているので、通常は目立たないが、ファッション性の質の高いものとすることができる。
【０００７】
本考案の履物は、装飾品がビーズタイプの貴金属類又は貴金属類の模造品である構成としているので、通常は目立たないが、装飾品を目にしたときに履物に豪華な印象を与え、ファッション性の質の高さを認識させることができる。
【０００８】
本考案の履物は、帯状体が合成樹脂材料にて柔軟性のある鎖状に形成している構成としているので、製造工程が容易にでき、簡素化を図ることができる。
【０００９】
【考案の実施の形態】
次に、本考案を図に基き説明する。
図中、図１は本考案実施例のロングブーツ側面図、図２は本考案実施例の短靴の斜視図、図３は本考案実施例の帯状体の斜視図、図４は本考案実施例の帯状体の一部拡大斜視図である。
【００１０】
履物１は、図１、図２に示すように、履物底２と、この履物底上面のつま先部、甲部等を包括した着用部３と、踵部４とを備えている。この履物１は、履物底と貼着されるつま先部、甲部の外周端より外側に突出した履物底の周縁部５を設けており、この周縁部５の上面に装飾品６を埋設した帯状体７を固着してる。
【００１１】
この履物１の履物底２や着用部３の素材は、特に限定されるものでなく、一般に使用されている素材である。この履物１は、婦人用、子供用、紳士用と大小様々で特に限定されるものではなく、又、ロングブーツ、半長ブーツ、短靴、サンダル靴等であっても良い。
【００１２】
後述の帯状体７に埋設される装飾品６は、貴金属類及び／又は貴石類もしくはそれらの模造品、ＰＶＣ装飾品、貝等が挙げられる。貴金属類及び／又は貴石類は、従来よりアクセサリー類に好んで用いられ、着用者のファッションセンスを高める上で重要な装飾品であり、また、華美で豪華な印象を与えやすい。しかし、貴金属類及び／又は貴石類は、高価であるため、コスト面から貴金属類及び／又は貴石類の模造品が用いられることがある。本考案においても、コスト面を考慮すると、装飾品６として、ビーズタイプの例えばイミテーションダイヤモンドのような貴金属類及び／又は貴石類の模造品を用いることが好ましい。これにより、貴金属類及び／又は貴石類と同様に、履物に華美で豪華な印象を与えることができ、かつ低コストで履物を提供することができる。
【００１３】
帯状体７は、図３、図４に示すように、装飾品６を埋設する溝孔８を適宜の間隔に設け、溝孔８と溝孔８との間を左右の接続部９にて結合し、合成樹脂材料にて柔軟性のある鎖状に一体成形している。
【００１４】
帯状体７の装飾品６を埋設する溝孔８と溝孔８との間は、特に限定するものではなく、折り曲げ可能であれば良いが、約１０ｃｍ程がファッション性や作業性の点からみてもより好ましい。また、帯状体７の巾は、履物底の周縁部５よりも狭いほうがより良い。
【００１５】
この帯状体７は、履物底２の周縁部５に接着剤等により貼り着けられており、この帯状体７の材利用における色彩は特に限定されるものではないが、履物底２の色合いに合わせれば、帯状体の存在を感じさせることもない。
【００１６】
このように、履物底２の周縁部５に装飾品６が適宜の間隔で埋設され、その装飾品が光輝くものであるので、夜間歩行中でも、照明器具の光を受けて反射され、人の存在が確認されて、歩行者の安全性を高めることができる。
【００１７】
【考案の効果】
以上のように、本考案の履物は、履物底の周縁部上面に装飾品を適宜の間隔にて埋設した帯状体を固着してなる構成とし、また、装飾品がビーズタイプの貴金属類又は貴金属類の模造品である構成とし、さらに、帯状体が合成樹脂材料にて柔軟性のある鎖状に形成している構成としているので、華美になりすぎることなく、装飾品を目にしたときに、豪華な印象と共にファッション性の質の高さを認識させることができる履物を、安価で、容易な製造工程で行うことができる。
【図面の簡単な説明】
【図１】本考案実施例のロングブーツ側面図。
【図２】本考案実施例の短靴の斜視図。
【図３】本考案実施例の帯状体の斜視図。
【図４】本考案実施例の帯状体の一部拡大斜視図。
【符号の説明】
１　履物
２　履物底
３　着用部
４　踵部
５　周縁部
６　装飾品
７　帯状体
８　溝孔
９　接続部
【図１】
0003099088.tif 000003
【図２】
0003099088.tif 000004
【図３】
0003099088.tif 000005
【図４】
0003099088.tif 000006
(57)【要約】【課題】直径１２インチのウェーハを加工する設備に適用できるウェーハ加工設備の機械べース構造を提供する。【解決手段】内部フレーム２は複数の適切な太さがある竹節状のスチール５を使って、相互に溶接して一体になることで竹節状のスチール５の間に些かな隙間又は些かなスライドを生じる状況を防止する。外部スチールフレーム３は内部フレーム２に合わせるスチールフレームであり、内部フレーム２は竹節状のスチール５の節で内部エッジと溶接して一体となる。コンクリート４は一体になる内部フレーム２を外部スチールフレーム３に入れた後、その外形に合わせる金型の中にコンクリートを注入して、コンクリートが凝らされて一体になって安定した後に形成された一体の連続性があるものである。【選択図】　　図２
0003099089.tif 000002
【実用新案登録請求の範囲】
【請求項１】
一つの内部フレームがあり、それは複数の適切な太さがある竹節状のスチールを使って、相互に溶接して一体になることで竹節状のスチールの間に些かな隙間又は些かなスライドを生じる状況を防止し、
一つの外部スチールフレームがあり、それは前述の内部フレームに合わせるスチールフレームであり、上述の内部フレームは竹節状のスチールの節でその内部エッジと溶接して一体となり、
一つのコンクリートがあり、それは上述の一体になる内部フレームを外部スチールフレームに入れた後、その外形に合わせる金型の中にコンクリートを注入して、コンクリートが凝らされて一体になって安定した後に形成された一体の連続性があるものであることを特徴とするウェーハ加工設備の機械べース構造。
【請求項２】
コンクリートが凝らせて安定した表面には、一層の適切な厚さがある樹脂が被布されることを特徴とする請求項１記載のウェーハ加工設備の機械べース構造。
【請求項３】
樹脂はエポキシ樹脂であることを特徴とする請求項２記載のウェーハ加工設備の機械べース構造。
【考案の詳細な説明】
【０００１】
【考案の属する技術分野】
本考案は、ウェーハ加工設備の機械べース構造に関するものである。特に、直径１２インチのウェーハを加工する設備の機械べースの堅さ（ｓｔｉｆｆｎｅｓｓ）を向上する構造を指すものである。
【０００２】
【従来の技術】
従来の直径８インチのウェーハを加工する設備の機械べースの構造は、すべてスチールで作成され、その構造の堅さ（ｓｔｉｆｆｎｅｓｓ）の強度が高くないため、使用する場合、微振動（Ｖｉｂｒａｔｉｏｎ）の現象が生じるが、直径８インチのウェーハを加工する設備にとって、まだ許容の範囲以内にある。ところが、その機械べースの構造を直径１２インチのウェーハを加工する設備の機械べースに使用する場合、その堅さ（ｓｔｉｆｆｎｅｓｓ）は明らかに足りないので、生じる振動の影響は許容範囲をたくさんオーバーするため、直径１２インチのウェーハを加工する設備に適用されないのである。
【０００３】
【考案が解決しようとする課題】
本考案の主な目的は、ウェーハ加工設備の機械べース構造の堅さを向上して、直径１２インチのウェーハを加工する設備の機械べースに適用するため、ウェーハ加工設備の機械べース構造を提供するものである。それはスチールを溶接することで内部フレームを構成させた後、それと外部フレームとの間を節で溶接してから、金型の中にコンクリートを注入することで、それを凝らせて一体になるのである。
本考案の次の目的は、凝らされたコンクリートの表面に適切な厚さのある樹脂が一層被布されるものである。
【０００４】
【課題を解決するための手段】
本考案によると、ウェーハ加工設備の機械べース構造に関するものであり、一つの内部フレームがあり、それは複数の適切な太さがある竹節状のスチールを使って、相互に溶接して一体になることで竹節状のスチールの間に些かな隙間又は些かなスライドを生じる状況を防止し、一つの外部スチールフレームがあり、それは前述の内部フレームに合わせるスチールフレームであり、上述の内部フレームは竹節状のスチールの節でその内部エッジと溶接して一体となり、一つのコンクリートがあり、それは上述の一体になる内部フレームを外部スチールフレームに入れた後、その外形に合わせる金型の中にコンクリートを注入して、コンクリートが凝らされて一体になって安定した後に形成された一体の連続性があるものであることを特徴とする。
【０００５】
【考案の実施の形態】
本考案のその他の目的、構造及び機能を実施形態を示す図式を参照しながら、下記で説明する。
図１及び図２をご参照ください。図１は、金型の中にコンクリートを注入して凝らせた後の外観立体図である。図２は、図１のコンクリートの内部フレーム及び外部スチールフレームの構造を示す説明図である。それによると、本考案の一実施例によるウェーハ加工設備の機械べース構造のべース１は、内部フレーム２、外部スチールフレーム３及び注入されたコンクリート４を結び付けて一体になることで構成されていることがわかる。その中で、内部フレーム２は複数の適切な太さがある竹節状のスチール５を使って、外部エッジの縦方向のスチール６の節で相互に溶接することでスチール５とスチール５との間での連続性を向上し、連接するスチール５の間に些かな隙間又は些かなスライドを生じる状況を防止して、一体の連続性を構成させてから、節６で内部フレーム２の外部と合わせる外部スチールフレーム３の内部エッジと溶接して一体になった後、全体をその外形と合わせる金型の中に入れ、コンクリート４を注入して、その内部フレームをコンクリートの中で凝らせて、又、外部スチールフレーム３を外部と接続して固定した後、コンピューターで模擬試験（添付書類一をご参照ください。添付書類の中でテストされたべースは、図面の通りに配置されたテストの結果である）を行った結果、その堅さ（ｓｔｉｆｆｎｅｓｓ）は直径１２インチのウェーハを加工する設備の機械べースに適用することを証明したものである。
【０００６】
又、前述のコンクリート４が凝らされて安定した後、その表面に表面処理を行える。この実施形態に被布されるのは、一層の適切な厚さがある樹脂７である。その表面をスムースにするため、樹脂７はエポキシ樹脂を使ってもよいのである。
【０００７】
本考案のべース構造は確かに創作の期待する効果を達成できるので、産業上に利用できる新型である。又、国内と海外に公開する刊行物に刊行されていないし、公開で使用されておらず、新型の要件に一致するものと思われるため、法律による実用新案登録の請求を提出するものである。
【図面の簡単な説明】
【図１】本考案の一実施例によるウェーハ加工設備の機械べース構造を示す斜視図である。
【図２】本考案の一実施例によるウェーハ加工設備の機械べース構造の内部フレーム及び外部スチールフレームを示す模式図である。
【符号の説明】
１　　べース
２　　内部フレーム
３　　外部スチールフレーム
４　　コンクリート
５　　竹節状のスチール
６　　節
７　　樹脂
【図１】
0003099089.tif 000003
【図２】
0003099089.tif 000004
(57)【要約】　　　（修正有）【課題】　ＬＥＤ式集光照明灯の提供。【解決手段】　ランプセード１を具え、該ランプセードの内部にＬＥＤランプ２が設けられ、並びに集光カバー３が組み合わされ、外部にカバー板１１が結合されて各部品が固定され、集光カバーの形状設計により、ＬＥＤランプの発射する光線が外向きに集中投射されて、集光照明の効果を獲得し、下部に電極ケース５が嵌合されて基板４に連接され、ＬＥＤランプの必要な電力が提供される。【選択図】　　　　図３
0003099031.tif 000002
【実用新案登録請求の範囲】
【請求項１】
　ランプセード、ＬＥＤランプ、集光カバーを具え、集光カバーが実心透明体とされ、側曲面を具えて放物面形態に形成され、その下部に開孔が設けられ、該開孔内に凸円弧面が設けられ、その上表面が上平面とされてその側方に環状の支持縁が延設されて、ランプセードの上部への放置に供され、並びにカバー板により被覆固定され、ＬＥＤランプが該開孔内に組み付けられ、ＬＥＤランプが点灯する時、その光線が集光カバーに進入し、側曲面の反射と透射により、大部分の光線が集中投射され、集光照明の機能を達成し、
　基板がＬＥＤランプの下部に設けられ、電極ケースがランプセードの下部の外側に設けられ、電極ケースの下側方の凸接点が直流電源に接続され、複数のコンデンサ、複数の抵抗、電圧安定化ダイオード及びインダクタで組成された直流−直流変換回路により、蓄電池の出力の１２ＶをＬＥＤランプの使用に適合する３Ｖに変換し、車両ヘッドランプに直接応用可能とされたことを特徴とする、ＬＥＤ式集光照明灯。
【考案の詳細な説明】
【技術分野】
【０００１】
　本考案は一種のＬＥＤ式集光照明灯に関するものである。
【背景技術】
【０００２】
　周知の集光灯の構造は、ランプセードを具え、ランプセードの内部にタングステンバルブが用いられ、外部表面がガラス片で被覆され、タングステンバルブの発光に、ランプセード内の凹円弧面の反射作用が組み合わされて光線を集中して前向きに投射する。その欠点は以下のとおりである。
　１．タングステンバルブの体積は大きく、ランプセード内の大部分の空間を占用し、反射効果を下げる。
　２．タングステンバルブの消費パワーは大きく、消費電力が大きく高熱を発生し、火災を形成しやすい。
　３．タングステンバルブは変圧器の補助がなければ点灯しない。
　４．バルブの寿命が短く、損壊しやすい。
【考案の開示】
【考案が解決しようとする課題】
【０００３】
　本考案は一種のＬＥＤ式集光照明灯を提供することを目的とし、それは、ＬＥＤランプに集光カバーを組み合わせた設計により、使用寿命が長く、構造が簡単で、集光効果が良好で、且つ必要電力が少ないものとする。
【課題を解決するための手段】
【０００４】
　請求項１の考案は、ランプセード、ＬＥＤランプ、集光カバーを具え、集光カバーが実心透明体とされ、側曲面を具えて放物面形態に形成され、その下部に開孔が設けられ、該開孔内に凸円弧面が設けられ、その上表面が上平面とされてその側方に環状の支持縁が延設されて、ランプセードの上部への放置に供され、並びにカバー板により被覆固定され、ＬＥＤランプが該開孔内に組み付けられ、ＬＥＤランプが点灯する時、その光線が集光カバーに進入し、側曲面の反射と透射により、大部分の光線が集中投射され、集光照明の機能を達成し、
　基板がＬＥＤランプの下部に設けられ、電極ケースがランプセードの下部の外側に設けられ、電極ケースの下側方の凸接点が直流電源に接続され、複数のコンデンサ、複数の抵抗、電圧安定化ダイオード及びインダクタで組成された直流−直流変換回路により、蓄電池の出力の１２ＶをＬＥＤランプの使用に適合する３Ｖに変換し、車両ヘッドランプに直接応用可能とされたことを特徴とする、ＬＥＤ式集光照明灯としている。
【考案の効果】
【０００５】
　本考案は特殊なＬＥＤ式発光構造を設けて、電気使用量を減らし、集光カバーの組み合わせにより、有効に集中照明の目的を達成し、また、特殊な基板と電極ケースの結合により、直接の利用に供され、実用性と進歩性を具えている。
【考案を実施するための最良の形態】
【０００６】
　各図に示されるように、本考案のＬＥＤ式集光照明灯は、ランプセード１、ＬＥＤランプ２、集光カバー３を具え、集光カバー３は実心透明体とされ、側曲面３３を具え、放物面形態に設けられ、その下部に開孔３１が設けられ、且つ開孔３１内に凸円弧面３２が設けられ、別にその上表面が上平面３４とされ、その側方に向けて環状の支持縁３５が延設されてランプセード１の上部への放置に供され、並びにカバー板１１により被覆固定される。ＬＥＤランプ２は適当な方式で前述の開孔３１内に固定され、ＬＥＤランプ２点灯する時、その光線が集光カバー３に進入し、側曲面３３の設計により、ほとんどの光線が集中して投射され、集光照明の最良の機能を達成する。
【０００７】
　基板４がＬＥＤランプ２の下部に設けられ、電極ケース５がランプセード１の下部の外側に設けられている。その電気的連接方式は、図４に示されるようであり、電極ケース５の下側方の凸接点５１が直流電源に接続され、コンデンサＣ１、Ｃ２、Ｃ３、Ｃ４、抵抗Ｒ１、Ｒ２、Ｒ３、電圧安定化ダイオードＤ１及びインダクタＬ１で組成さた直流−直流変換回路により、蓄電池の出力する１２Ｖ電源を３Ｖに変換し、ＬＥＤランプ２の使用に適合するものとする。本考案は直接既存の車両のヘッドランプとして応用できる。
【図面の簡単な説明】
【０００８】
【図１】本考案の分解斜視図である。
【図２】本考案の斜視図である。
【図３】本考案の断面図である。
【図４】本考案の使用する電気回路図である。
【符号の説明】
【０００９】
１　ランプセード　　　　１１　カバー板　　　２　ＬＥＤランプ
３　集光カバー　　　　　３１　開孔　　　　　３２　凸円弧面
３３　側曲面　　　　　　３４　上平面　　　　３５　支持縁
４　基板　　　　　　　　５　電極ケース　　　５１　凸接点
【図１】
0003099031.tif 000003
【図２】
0003099031.tif 000004
【図３】
0003099031.tif 000005
【図４】
0003099031.tif 000006
(57)【要約】　　　（修正有）【課題】ＬＥＤ式集光照明灯の提供。【解決手段】ランプセード１を具え、該ランプセードの内部にＬＥＤランプ２が設けられ、並びに集光カバー３が組み合わされ、外部にカバー板４が結合されて各部品が固定され、集光カバーの形状設計により、ＬＥＤランプの発射する光線が外向きに集中投射されて、集光照明の効果を獲得し、ランプセード内部に放熱カバー５が設けられ、並びに電流変換基板６が組み合わされ、交流を直流に変換してＬＥＤランプの電源を提供する。【選択図】　　図３
0003099033.tif 000002
【実用新案登録請求の範囲】
【請求項１】
　ランプセード、ＬＥＤランプ、集光カバー及びカバー板を具え、ランプセードの内部に結合リングが設けられ、ランプセードの表面に複数の放熱孔が設けられ、集光カバーが実心透明体とされて結合リングに嵌合され、該集光カバーが側曲面を具えて放物面形態に形成され、その下部に開孔が設けられ、該開孔内に凸円弧面が設けられ、その表面が上平面とされ、ＬＥＤランプが該開孔内に組み付けられ、ランプセードの外部の上部にカバー板が組み合わされ、放熱カバーがランプセード内部に設けられ、該放熱カバーの底面に環状溝が設けられて結合リングに套設されて係合状を形成し、基板が放熱カバーの底面に設けられると共にＬＥＤランプに結合され、該基板によりランプセードの底端のコネクタより導入された交流電源を直流電源に変換してＬＥＤランプの電源として供給することを特徴とする、ＬＥＤ式集光照明灯。
【考案の詳細な説明】
【技術分野】
【０００１】
　本考案は一種のＬＥＤ式集光照明灯に関するものである。
【背景技術】
【０００２】
　周知の集光灯の構造は、ランプセードを具え、ランプセードの内部にタングステンバルブが用いられ、外部表面がガラス片で被覆され、タングステンバルブの発光に、ランプセード内の凹円弧面の反射作用が組み合わされて光線を集中して前向きに投射する。その欠点は以下のとおりである。
　１．タングステンバルブの体積は大きく、ランプセード内の大部分の空間を占用し、反射効果を下げる。
　２．タングステンバルブの消費パワーは大きく、消費電力が大きく高熱を発生し、火災を形成しやすい。
　３．タングステンバルブは変圧器の補助がなければ点灯しない。
　４．バルブの寿命が短く、損壊しやすい。
【考案の開示】
【考案が解決しようとする課題】
【０００３】
　本考案は一種のＬＥＤ式集光照明灯を提供することを目的とし、それは、ＬＥＤランプに集光カバーを組み合わせた設計により、使用寿命が長く、構造が簡単で、集光効果が良好で、且つ必要電力が少ないものとする。
【課題を解決するための手段】
【０００４】
　請求項１の考案は、ランプセード、ＬＥＤランプ、集光カバー及びカバー板を具え、ランプセードの内部に結合リングが設けられ、ランプセードの表面に複数の放熱孔が設けられ、集光カバーが実心透明体とされて結合リングに嵌合され、該集光カバーが側曲面を具えて放物面形態に形成され、その下部に開孔が設けられ、該開孔内に凸円弧面が設けられ、その表面が上平面とされ、ＬＥＤランプが該開孔内に組み付けられ、ランプセードの外部の上部にカバー板が組み合わされ、放熱カバーがランプセード内部に設けられ、該放熱カバーの底面に環状溝が設けられて結合リングに套設されて係合状を形成し、基板が放熱カバーの底面に設けられると共にＬＥＤランプに結合され、該基板によりランプセードの底端のコネクタより導入された交流電源を直流電源に変換してＬＥＤランプの電源として供給することを特徴とする、ＬＥＤ式集光照明灯としている。
【考案の効果】
【０００５】
　本考案は電流変換基板を利用し、集光照明灯が直接交流電源を電源として使用できるようにし、極めて便利である。また、低消費電力のＬＥＤランプを使用し、また集光カバーのより集光機能を提供し、進歩性と実用性を有している。
【考案を実施するための最良の形態】
【０００６】
　各図に示されるように、本考案のＬＥＤ式集光照明灯は、ランプセード１、ＬＥＤランプ２、集光カバー３及びカバー板４を具え、該ランプセード１の内部に結合リング１１が設けられ、並びに表面に複数の放熱孔１２が設けられている。該集光カバー３は該結合リング１１に嵌合され、結合リング１１の対応する部分に複数のスリット１１１が設けられて弾性係止力を提供し、強固に集光カバー３と結合する。集光カバー３は実心透明体とされ、側曲面３３を具え、放物面形態に設けられ、その下部に開孔３１が設けられ、且つ開孔３１内に凸円弧面３２が設けられ、別にその表面が上平面３４とされ、ＬＥＤランプ２が適当な方式で前述の開孔３１内に固定され、その二つの導電柱２１が下向きに延伸されてランプセード１下方のコネクタに至る。ランプセード１の外部は、カバー板４が上部に組み合わされ、並びに集光カバー３の上部がカバー板４の中央孔４１内に嵌合され、平らに整った平面が形成されている。放熱カバー５がランプセード１の内部に設けられ、その底面に環状溝５１が設けられ、該環状溝５１が結合リング１１に嵌合されて係合状を形成し、基板６が放熱カバー５の底面に設けられ、並びに前述のＬＥＤランプ２に結合されている。その回路図は図４に示されるとおりであり、Ｄ１〜Ｄ４整流ブリッジを利用し、ランプセード１底端のコネクタ１３より導入した交流電源を直流電源に変換し、変圧コイルセット１−２及び３−４が組み合わされ、安定した３Ｖ／３３０ｍＡ電源を提供する。
【０００７】
　使用上、本考案のＬＥＤランプ２が点灯する時、その光線は集光カバー３に進入し、側曲面３３の設計により、ほとんどの光線が図３の矢印の方向に集中して投射され、集光照明の最良の効果を達成する。また、放熱カバー５が直接基板６に接触し、有効に熱伝導し、その運転時に発生する熱を迅速に分散させ、これに放熱孔１２の設置が組み合わされることにより、良好な排熱効果が獲得され、内部の温度を下げる。
【図面の簡単な説明】
【０００８】
【図１】本考案の分解斜視図である。
【図２】本考案の斜視図である。
【図３】本考案の断面図である。
【図４】本考案の使用する電気回路図である。
【符号の説明】
【０００９】
１　ランプセード　　　　１１　結合リング　　１２　放熱孔
１３　コネクタ　　　　　２　ＬＥＤランプ　　３　集光カバー
３１　開孔　　　　　　　３２　凸円弧面　　　３３　側曲面
３４　上平面　　　　　　４　カバー板　　　　４１　中央孔
５　放熱カバー　　　　　５１　環状溝　　　　６　基板
【図１】
0003099033.tif 000003
【図２】
0003099033.tif 000004
【図３】
0003099033.tif 000005
【図４】
0003099033.tif 000006
(57)【要約】　　　（修正有）【課題】従来のゴルフ用クラブは金属、カーボンファイバー等で形成されていた。ゴルフ競技時において、ストローク調整を行う為、両手でクラブを平行に持って肩や腰、足のラインをチェックする事が行われている。しかしゴルフクラブはゴルフボールを打つ為に考案されたものであって、水準器としては全く不完全である。又打球する為に考えられたクラブはファッション性にも乏しかった。【解決手段】シャフト部２を透明体で形成し、透明シャフト内に位置移動可能に着色した液体５を充填してゴルフクラブ１を形成したものである。【選択図】　　図１
0003099468.tif 000002
【実用新案登録請求の範囲】
【請求項１】
シャフト部を透明体で形成し、該シャフト内に位置移動可能に着色した液体を充填形成した事を特徴とするパター用ゴルフクラブ。
【請求項２】
シャフト部を半透明体で形成し、該シャフト内に位置移動可能に着色した液体を充填形成した事を特徴とするパター用ゴルフクラブ。
【考案の詳細な説明】
【技術分野】
【０００１】
本考案はパター用ゴルフクラブに関するものである。
【背景技術】
【０００２】
従来のゴルフ用クラブは金属、カーボンファイバー等で形成されていた。
【考案の開示】
【考案が解決しようとする課題】
【０００３】
ゴルフ競技時において、ストローク調整を行う為、両手でクラブを平行に持って肩や腰、足のラインをチェックする事が行われている。
しかしクラブはゴルフボールを打つ為に考案されたものであって、水準器としては全く不完全である。
【０００４】
又打球する為に考えられたクラブはファッション性にも乏しかった。
【課題を解決するための手段】
【０００５】
シャフト部を透明体で形成し、該透明シャフト内に位置移動可能に着色した液体を充填してゴルフクラブを形成するものである。
【考案の効果】
【０００６】
シャフトの中心部に流動し得る状態で着色した液体が充填されているので、ゴルフ競技中必要に応じて本考案に係るゴルフクラブ９を平行にすると着色液５が移動して水準線８を形成し、正しいストロークの確認を極めて容易に行い得る顕著な効果がある。
【０００７】
又シャフト自体もカラフルになりゴルフクラブ自体のファンション性をも同時に高め得る効果がある。
【考案を実施するための最良の形態】
【０００８】
以下本考案に係る実施例を例示する
【０００９】
更に之を図面に示す実施例の一例に就いて説明すると、パター用ゴルフクラブ１のシャフト２を透明又は半透明体３で形成し、該シャフト２の中心部に設けられた中空部４に赤色、黄色、黒色等所望の色彩に着色した液体５を中空部の容積の７０％程度充填封入し、クラブの位置を動かした場合、クラブ体内で着色した液体が移動し得るように形成せしめて成るものである。
【００１０】
しかして図中符号６グリップ、７はクラブヘッド、８は着色した液で形成された水準線である。
【産業上の利用可能性】
【００１１】
本考案はゴルフ用クラブは他各種競技用棒杆に応用可能である。
【図面の簡単な説明】
【００１２】
【図１】全体の説図である。
【図２】シャフト部の一部を切欠した説明図である。
【符号の説明】
【００１３】
１　パター用ゴルフクラブ
２　シャフト
３　透明又は半透明体
４　中空部
５　着色した液体
６　グリップ
７　クラブヘッド
８　着色した液面で形成された水準線
９　本考案にかかるゴルフクラブ
【図１】
0003099468.tif 000003
【図２】
0003099468.tif 000004
(57)【要約】　　　（修正有）【課題】従来のゴルフクラブ用シャフトは金属、カーボンファイバー等で形成されていた。ゴルフ競技において、ストローク調整を行う為両手でクラブを平行に持って肩や腰、足のラインをチェックする事が行われている。しかしゴルフクラブはゴルフボールを打つ為に考案されたものであって、水準器としては全く不完全である。又打球する為に考えられたクラブはファッション性にも乏しかった。【解決手段】透明な中空の棒杆体内に、赤色・黄色・黒色等所望の着色を施した液体を位置移動自在に充填してゴルフクラブ用シャフトを形成して成るものである。【選択図】　　図１
0003099467.tif 000002
【実用新案登録請求の範囲】
【請求項１】
透明な中空の棒杆体内に、赤色・黄色・黒色等所望の着色を施した液体を位置移動自在に充填封止して形成した事を特徴とするゴルフクラブ用シャフト。
【請求項２】
半透明な中空の棒杆体内に、赤色・黄色・黒色等所望の着色を施した液体を位置移動自在に充填封止して形成した事を特徴とするゴルフクラブ用シャフト。
【考案の詳細な説明】
【技術分野】
【０００１】
本考案はゴルフクラブ用シャフトに関するものである。
【背景技術】
【０００２】
従来のゴルフ用シャフトは金属、カーボンファイバー等で形成されていた。
【考案の開示】
【考案が解決しようとする課題】
【０００３】
ゴルフ競技時において、ストローク調整を行う為、両手でクラブを平行に持って肩や腰、足のラインをチェックする事が行われている。
しかしクラブはゴルフボールを打つ為に考案されたものであって、水準器としては全く不完全である。
【０００４】
又打球する為に考えられたクラブはファッション性にも乏しかった。
【課題を解決するための手段】
【０００５】
ゴルフクラブを形成する為のシャフトを透明な中空の棒杆で形成し、棒杆体内の中空部に赤色・黄色・黒色等所望の着色を施した液体を位置移動自在に充填しシャフトを形成して成るものである。
【考案の効果】
【０００６】
シャフト部に流動し得る状態で着色した液体が充填されているので、このシャフトを使用してゴルフクラブを形成せしめるとゴルフ競技中必要に応じてクラブを平行にすると着色液が移動して正確な水準線を形成し、正しいストロークの確認を極めて容易に行い得る顕著な効果がある。
【０００７】
又シャフト自体がカラフルにとなるからゴルフクラブ自体のファンション性をも同時に高め得る効果がある。
【考案を実施するための最良の形態】
【０００８】
以下本考案に係る実施例を例示する
【実施例】
【０００９】
更に之を図面に示す実施例の一例に就いて説明すると、プラスチック、プラ
スチックコンポジット等を用いて形成した透明又は半透明な中空１の棒杆２の体内に赤色、黄色、黒色等所望の着色を施した液体３を棒杆の位置移動に伴って移動可能な様に若干の空間を残して充填した後、棒杆体２の中心部に形成された中空１部の他端を封止してゴルフクラブ用シャフト４を形成せしめて成るものである。
【００１０】
しかして図中符号５グリップ、６はクラブヘッド、７ゴルフクラブ、８は着色液面で形成された水準線である。
【産業上の利用可能性】
【００１１】
本考案はゴルフクラブ用のシャフトの他各種競技用棒杆に応用可能である。
【図面の簡単な説明】
【００１２】
【図１】シャフト部の一部を切欠した説明図である。
【図２】ゴルフ用クラブに装置した状態の説明図である。
【符号の説明】
【００１３】
１　中空
２　中空の棒杆
３　着色した液体
４　ゴルフクラブ用シャフト
５　グリップ
６　ヘッド
７　ゴルフクラブ
８　着色した液面で形成された水準線
【図１】
0003099467.tif 000003
【図２】
0003099467.tif 000004
(57)【要約】　　　（修正有）【課題】従来のゴルフクラブ用シャフトは金属、カーボンファイバー等で形成されていた。ゴルフ競技において、ストローク調整を行う為両手でクラブを平行に持って肩や腰、足のラインをチェックする事が行われている。しかしクラブはゴルフボールを打つ為に考案されたものであって、水準器としては全く不完全である。又打球する為に考えられたクラブはファッション性にも乏しかった。【解決手段】所望のゴルフクラブのシャフト部２に透明体で形成したケース体内に設けられた中空部４に着色した液体を位置移動自在に充填形成したスケール杆を着脱自在に構成したものである。【選択図】　　　図１
0003099469.tif 000002
【実用新案登録請求の範囲】
【請求項１】
透明体で形成したケース体内に設けられた中空部に着色した液体を位置移動自在に充填形成したスケール杆を所望のゴルフクラブのシャフト部に着脱自在に構成した事を特徴とするゴルフクラブ。
【請求項２】
半透明体で形成したケース体内に設けられた中空部に着色した液体を位置移動自在に充填形成したスケール杆を所望のゴルフクラブのシャフト部に着脱自在に構成した事を特徴とするゴルフクラブ。
【考案の詳細な説明】
【技術分野】
【０００１】
本考案はゴルフ用クラブに関するものである。
【背景技術】
【０００２】
従来のゴルフ用クラブは金属、カーボンファイバー等で形成されていた。
【考案の開示】
【考案が解決しようとする課題】
【０００３】
ゴルフ競技時において、ストローク調整を行う為、両手でクラブを平行に持って肩や腰、足のラインをチェックする事が行われている。
しかしクラブはゴルフボールを打つ為に考案されたものであって、水準器としては全く不完全である。
【０００４】
又、打球する為に考えられたクラブはファッション性にも乏しかった。
【課題を解決するための手段】
【０００５】
所望のゴルフクラブのシャフト部に透明体で形成し、ケース体内に設けられた中空部に着色した液体を位置移動自在に充填形成したスケール杆を着脱白に構成したものである。
【考案の効果】
【０００６】
クラブのシャフト２部に透明なケース体３内に着色した液体５を位置移動自在に充填封入されたスケール杆６が設けられているのでゴルフ競技中必要に応じてクラブを平行にするとスケール杆内の着色液が移動して水準線１１を形成し、正しいストロークの確認を極めて容易に行い得る顕著な効果がある。
【０００７】
又スケール杆によってシャフト自体もカラフルになりゴルフクラブ自体のファンション性をも同時に高め得る効果がある。
【考案を実施するための最良の形態】
【０００８】
以下本考案に係る実施例を例示する
【０００９】
更に之を図面に示す実施の一例に就いて本考案を説明すると、所望のゴルフクラブ１のシャフト２部にプラスチック等の物質を用いて形成した透明又は半透明の平面略三ヶ月形状のケース３体内の中空４部に赤色、黄色、黒色等所望の色彩に着色した液体５を位置移動自在に充填形成したスケール杆６を着脱自在に構成せしめて成るものである。
【００１０】
而して図示上のものはスケール杆６が枢軸７を中心に開閉、嵌合する止杆８によって止着しているものが示されているが、止バンドその他の形態の止着具を用いてもよい。又、スケール杆６は平面三ヶ月状のものが示されているが、実施時には角柱、丸棒状、四角柱状等所望形状に形成してもよい。
【産業上の利用可能性】
【００１１】
本考案のスケール杆６はゴルフクラブの他、各種競技用その他の棒杆に応用可能である。
【図面の簡単な説明】
【００１２】
【図１】全体の説明図である。
【図２】クラブを水平にした状態の説明図である。
【図３】止具の説明図である
【符号の説明】
【００１３】
１　　ゴルフクラブ
２　　シャフト
３　　ケース体
４　　中空部
５　　着色した液
６　　スケール杆
７　　枢軸
８　　止杆
９　　クラブのグリップ
１０　グラフヘッド
１１　着色した液面で形成された水準線
【図１】
0003099469.tif 000003
【図２】
0003099469.tif 000004
【図３】
0003099469.tif 000005
(57)【要約】　　　（修正有）【課題】電気ドリルで鉄板に穴あけ加工をする際における、切粉の飛散を防止する。【解決手段】切粉を通す磁性体で作った筒とこの筒の周囲に離接可能に設けた磁石により、なる切粉捕集具となるものである。磁性体から成る捕集筒１と、径方向に離接可能な環状形の磁石２から成り、作業時には加工部が見えやすい位置に両者１、２をセットした状態で配置し、捕集筒の内側に吸着させる。切粉を通す磁性体の筒と離接可能な磁石のセットによる切粉捕集具で周囲に飛散することなく捕集筒の内壁に切粉を吸着させ、捕集筒から離接可能な磁石を開いて外せば切粉は磁石に付くことなく捨てられる。【選択図】　　図１
0003099470.tif 000002
【実用新案登録請求の範囲】
【請求項１】
切粉を通す磁性体で作った筒と、この筒の周囲に離接可能に設けた磁石により、なる切粉捕集具。
【考案の詳細な説明】
【技術分野】
【０００１】本発明は、ドリルで穴あけ加工する時に出る切粉の捕集具に関するものである。
【背景技術】
【０００２】従来からドリル等で穴あけ加工する時に出る切粉の処理は、水平面に穴をあける時には時々切粉払いを行っている。又、垂直面に穴をあける時は穴の下側にシートなどで切粉を受けていた。
【考案が解決しようとする課題】
【０００３】従来は、垂直面での穴あけで飛散する切粉を防ぐ為にシートによる作業を行うが、この作業が大変面倒である。
本発明は、切粉が加工部を見えにくくしたり、飛散する事なく捕集できるもので、従来の作業上の問題点を解決することを目的とする。
【課題を解決する為の手段】
【０００４】本発明は切粉を通す磁性体で作った筒とこの筒の周囲に離接可能に設けた磁石により、なる切粉捕集具となるものである。磁性体から成る捕集筒（１）と、径方向に離接可能な環状形の磁石（２）から成り、作業時には加工部が見えやすい位置に両者（１、２）をセットした状態で配置し、捕集筒の内側に吸着させる仕組みである。
【考案の効果】
【０００５】上述のように、切粉を通す磁性体の筒と離接可能な磁石のセットによる切粉捕集具で周囲に飛散することなく捕集筒の内壁に切粉を吸着させ、捕集筒から離接可能な磁石を開いて外せば切粉は磁石に付くことなく捨てられる。
【考案を実施するための最良の形態】
【０００６】以下、本発明の実施の形態を実施例により図面を参照しながら説明する。
図１は実施例の捕集筒と離接可能な磁石の側面図、図２は図１の平面図、図３は図１における捕集筒の側面図、図４は図１における磁石の平面図である。図５は図２のＡ−Ａの断面である。図においで磁性体で作られている形の捕集筒で（１）ドラム（２）はこの捕集筒に嵌めた環状の磁石である。環状磁石（２）は半円弧状磁石（２ａ）、（２ｂ）を蝶板（２ｃ）で開閉可能に構成されている。捕集筒（１）の周囲に着脱可能である。
次に切粉捕集具の使い方を図６にて説明する。まず、垂直に設置された鉄板（３）に切粉捕集具を取り付ける。このようにすると磁石（２）は鉄板（３）に吸着され、捕集筒が鉄板（３）に固定される。
【図面の簡単な説明】
【０００７】
【図１】　捕集筒と離接可能磁石のセット
【図２】　捕集筒と離接可能磁石の平面図
【図３】　磁性体の捕集筒
【図４】　磁石が径方向に開いた図
【図５】　捕集筒と離接可能な磁石の断面図
【図６】　作業状態の図
【図１】
0003099470.tif 000003
【図２】
0003099470.tif 000004
【図３】
0003099470.tif 000005
【図４】
0003099470.tif 000006
【図５】
0003099470.tif 000007
【図６】
0003099470.tif 000008
(57)【要約】　　　（修正有）【課題】両頭船の運航のさい、回転駆動されない進行側の推進翼及び、その周辺付近が受ける水流抵抗の問題を解決するための提案。【解決手段】船底を巾方向で横切る下面から推進翼２の左右両側方を一定間隔に挟む状態に障壁板４を垂設させると共に、その前方へ２枚の舵板３を左右方向への揺動可能に設け、前進時には両先端側を対接状態にして運転休止させる推進翼の前方を閉塞させ、推進翼の左右側方を含む前方を被蔽させるものとする。このさい、障壁板は推進翼径Ｒの凡そ１／４Ｒ離れた両側方箇所へ配置させたものとする。【選択図】　　　図１
0003099466.tif 000002
【実用新案登録請求の範囲】
【請求項１】
　船底を巾方向で横切る下面から推進翼の左右両側方を一定間隔に挟む状態に障壁板を垂設させると共に、その前方へ２枚の舵板を左右方向への揺動可能に設け、前進時には両先端側を対接状態にして運転休止させる推進翼の前方を閉塞させ、推進翼の左右側方を含む前方を被蔽させるものとなしたことを特徴とする両頭船。
【請求項２】
障壁板は推進翼径Ｒの凡そ１／４Ｒ離れた両側方箇所へ配置させることを特徴とした請求項１記載の両頭船。
【考案の詳細な説明】
【技術分野】
【０００１】
　本考案は、専ら近海水路を貨物や旅客を乗せ、運航される両頭船に関する。
【背景技術】
【０００２】
　上記に於いて、比較的近距離の島嶋間を往き来するフェリーなどの貨客船が増加しており、これら貨客船には方向転換の不必要性から船底の前後方向へ推進翼を備えた両頭船の使用が多く見られるものとなっている。
【特許文献１】実用新案登録第３０６９１３８号
【考案の開示】
【考案が解決しようとする課題】
【０００３】
　上記に於ける従来船のものは、その往復航行時に不使用となる前方或いは後方の何れか１つの推進翼にはそのままの状態に於ける水流抵抗が掛かるものとなる。この水流抵抗を小ならしめるには前方に於ける一対の方向舵を内側へ揺動させ、方向舵の各先端部を対接させることにより推進翼の前方の水流を左右方向に振り分け、前進時の船首側に受ける水流が直接的に推進翼へ及ぼさないようにすることが行われるが、このものでは遮蔽された方向舵の内面側で圧力差による渦流ｐが発生し（図４参照）、これによる遊転抵抗が推進翼やその周辺部に及ばされて航行に悪影響を生じさせるものとなっている。
　本考案は上記問題を解決せんとするものである。
【課題を解決するための手段】
【０００４】
　本考案は、船底を巾方向で横切る下面から推進翼の左右両側方を一定間隔に挟む状態に障壁板を垂設させると共に、その前方へ２枚の舵板を左右方向への揺動可能に設け、前進時には両先端側を対接状態にして運転休止させる推進翼の前方を閉塞させ、推進翼の左右側方を含む前方を被蔽させるものとする。
　このさい、障壁板の推進翼端とこれを挟むようになす対向間距離は、推進翼径をＲとしたさい凡そ１／４Ｒとなすのである。
【考案の効果】
【０００５】
　本考案に係る両頭船は、航行中に運転操作されない側となる前進側の推進翼が受ける遊転抵抗を解消し、航速性能を劣化させない効率の良い運航を可能ならしめることができる。
【考案を実施するための最良の形態】
【０００６】
　航行中、前進側或いは後進側の何れか片方で、運転を休止される推進翼が受ける遊転抵抗の解消を図って、効率の良い運航が得られるものとなった。
【実施例１】
【０００７】
　図１は本考案に係る両頭船の側面図であって１は船体、２はその船底に於ける前後方向に取付けてある推進翼、３はその前方の方向舵である。図２は図１の右方一点鎖線部分の平面図であって、４は上記推進翼２の両側方を取囲む状態に船底から重設させてなる障壁板である。なお５は舵板（方向舵）の揺動軸である。
【０００８】
　上記は図１の右方一点鎖線部分の平面図であるが、同右方の同一箇所部分もこれと対称の平面図となるのであって、図示を省略する。
【０００９】
　図３は上記船体１が矢印（イ）方向へ進行するさいの前進側推進翼付近の状態を示すものであって、このさい推進翼２は停止されている。而して、その前方に於ける方向舵５，５は互いに内方へ向けて揺動させ、両先端部を対接させることにより、推進翼３の左右側方に於ける障壁板４，４と上記方向舵先端部の対接による閉塞で、推進翼２の前方と左右両側方を取囲んだ函体６が形成されたものとなされる。なお、図面で７は上記に於ける水流の流れる方向を示すものであり、函体６内には渦流ｐの発生されるものとならない。
【００１０】
　本考案の幾多の実験結果から、推進翼２とその左右側方の障壁板４との間隔は推進翼２の径をＲとしたさい、その凡そ１／４Ｒ程度にすることが好ましいことが解った。
【００１１】
図４は上記した本考案に係る障壁板４，４が設けられない場合の水流状態を示すものであって、ｐは推進翼３の前方に発生する渦流であり、推進翼２はこれによる錯動抵抗を大きく受けるものとなる。
【００１２】
　上記は船体１の矢印（イ）方向への運航時のものであるが、矢印（ロ）方向の運航時には図３に於ける方向舵５，５の閉塞が開放されると共に、該推進翼３は回転駆動されるのである。このとき左方箇所の推進翼３及び方向舵が、今度は上述と同様の状態になされるのであり、以下同様にして交互に実施される。
【図面の簡単な説明】
【００１３】
【図１】本考案に係る両頭船の一部破断側面図である。
【図２】図１の左方一点鎖線部分の平面図である。
【図３】船体が矢印方向へ運航されるさいの推進翼付近の平面図である。
【図４】障壁板の設けられない場合の上記の平面図である。
【符号の説明】
【００１４】
　１　　　船体
　２　　　推進翼
　３　　　方向舵
　４　　　障壁板
　５　　　揺動軸
　６　　　函体
【図１】
0003099466.tif 000003
【図２】
0003099466.tif 000004
【図３】
0003099466.tif 000005
【図４】
0003099466.tif 000006
(57)【要約】　　　（修正有）【課題】物差しをペンとを別に携帯する煩わしさを省くことと、また物差しを使用したいときに忘れたり、無くしたり、物差しが無く困ることはよくあることである。その欠点を取り除くのが目的である。【解決手段】ペンキャップ１に物差し２を取りつけ、物差し付きペンキャップをペン３につけることによって、ペンと物差しを一体の物とすることが出来た。【選択図】　図１
0003099486.tif 000002
【実用新案登録請求の範囲】
【請求項１】
ペンキャップ（１）に、物差し（２）を取付けたペンキャップ
【考案の詳細な説明】
本考案はペンキャップに物差しを取りつけたペンキャップに関するものである。
従来は、このような物は無く、物差しとペン及びペンキャップは別々のものであった。真直ぐな線を引きたいときや、物の長さを測りたいときにはペン及びペンキャップとは別に物差しを携帯しておかなければならなかった。ペンとは別に物差しを持っていなかったり、物差しをなくしてしまうことも多かった。
本発明は、その欠点をなくすために、ペンキャップ（１）に物差し（２）を取りつけてしまうことである。そしてペン（３）に物差し付きペンキャップをつけておけばよいのである。
本案は、このような構成であるから、ペンと物差しは物差し付きペンキャップをしておけばいつも一体で、ペンを使うときはペンキャップをはずせば、ペン及び物差しとして使用できるのである。
本案はこのような構成であるから、物差しを別に携帯する必要がない。また、ペンが使えなくなっても物差し付きペンキャップを新しいペンに取りつければよく、新たに買う必要がないのでコストもかからない。さらにペンキャップに物差しがついているので転がりにくく、かさばるのでペンキャップもなくなりずらい。
【図１】
0003099486.tif 000003
【図２】
0003099486.tif 000004
【手続補正書】
【提出日】平成15年9月22日(2003.9.22)
【手続補正１】
【補正対象書類名】明細書
【補正対象項目名】図面の簡単な説明
【補正方法】追加
【補正の内容】
【図面の簡単な説明】
【図１】本案の携帯時の斜視図
【図２】本案の使用時の斜視図
【符号の説明】
１　ペンキャップ
２　物差し
３　ペン